(57)【要約】  本発明は、２つの噴射形式の混合運転により燃料を供給可能な内燃機関（２）の燃料噴射量を調整するための調整値を適合させるための方法に関する。第１噴射形式により内燃機関（２）を運転させる第１噴射量指示を調整するための第１調整値を適合させ、第２噴射形式によって内燃機関（２）を運転させる第２噴射量指示を調整するための第２調整値を適合させ、それぞれ運転状態に関係した重ならない規定された調整範囲で調整値をそれぞれ適合させ、少なくともいずれかの調整範囲に、２つの噴射形式によって内燃機関に燃料（２）が供給される運転状態を含む。
2013522536.tif 000002
【特許請求の範囲】
【請求項１】
２つの噴射形式の混合運転により燃料を供給可能な内燃機関（２）の燃料噴射量を調整するための調整値を適合させるための方法において、
第１噴射形式により内燃機関（２）を運転させる第１噴射量指示を調整するための第１調整値、および第２噴射形式によって内燃機関（２）を運転させる第２噴射量指示を調整するための第２調整値を適合させ、
運転状態に関係した重ならない規定された調整範囲で調整値をそれぞれ適合させ、
少なくともいずれかの調整範囲が、２つの噴射形式によって内燃機関（２）に燃料が供給される運転状態を含む、方法。
【請求項２】
吸気管噴射の第１噴射形式および直接噴射の第２噴射形式を対応させ、燃料が吸気管噴射および直接噴射によって前記内燃機関（２）に供給される運転状態で第１調整値の適合を行う、請求項１に記載の方法。
【請求項３】
７０％、８０％、９０％または９５％を超える燃料が直接噴射によって前記内燃機関（２）に供給される運転状態で、第２調整値の適合を行う、請求項２に記載の方法。
【請求項４】
当該噴射形式のための現在の調整値を算出することによってそれぞれの調整値の適合を行い、当該噴射形式のために算出され、重み付け係数によって重み付された調整値を以前の調整値に適用することによって当該噴射形式のためにあらかじめ算出された調整値を適合させる、請求項１から３までのいずれか一項に記載の方法。
【請求項５】
２つの噴射形式の混合運転により燃料を供給することができる前記内燃機関（２）への燃料の噴射を制御するために第１噴射量指示および第２噴射形式指示を調整するための方法において、
作用点に関係して配分（Ｒ）を設定し、
前記内燃機関（２）のシリンダ（３）における燃焼のために供給されるべき所定の総燃料量（rK）を、第１噴射量指示および第２噴射量指示を算出するための配分（Ｒ）にしたがって分配し、請求項１から４までのいずれか一項に記載の方法によって適合された第１もしくは第２調整値に関係して、特に加算または乗算によって、第１噴射量指示および第２噴射量指示を算出する、方法。
【請求項６】
調整値オフセット（ora_DI, ora_PFI）を適合させ、調整値オフセット（ora_DI, ora_PFI）を配分（Ｒ）にしたがって分配し、対応した噴射量指示を算出するために用いる、請求項５に記載の方法。
【請求項７】
対応した噴射量指示に適用する吸気管調整値オフセット（ora_PFI）および直接噴射調整値オフセット（ora_DI）を適合させる、請求項５に記載の方法。
【請求項８】
吸気管調整値オフセット（ora_PFI）および直接噴射調整値オフセット（ora_DI）を適合させ、それぞれ配分（Ｒ）を適用する、請求項７に記載の方法。
【請求項９】
２つの噴射形式の混合運転により燃料を供給可能な内燃機関（２）の燃料噴射量のための調整値を適合させるための装置（１５）において、
制御装置（１５）が、第１噴射形式によって内燃機関（２）を運転させる第１噴射量指示を調整するための第１調整値、および第２噴射形式によって内燃機関を運転させる第２噴射量指示を調整するための第２調整値を適合させ、
運転状態に関係した重ならない規定された調整範囲で調整値をそれぞれ適合させるように構成されており、
少なくともいずれかの調整範囲が、２つの噴射形式によって内燃機関（２）に燃料が供給される運転状態を含む、装置。
【請求項１０】
前記内燃機関（２）と、
請求項９に記載の制御装置（１５）と
を備える、エンジンシステム（１）。
【請求項１１】
データ処理ユニットで構成された場合に、請求項１から８までのいずれか一項に記載の方法を実施するプログラムコードを含む、コンピュータプログラム製品。
【発明の詳細な説明】
【技術分野】
【０００１】
本発明は、シリンダが複数の噴射弁を介して、特に吸気管噴射および直接噴射によって燃料を供給可能である内燃機関を備えるエンジンシステムに関する。
【背景技術】
【０００２】
複合噴射システムにより吸気管噴射および直接噴射を可能とする内燃機関では、このために設けられた噴射弁の制御部を調整することが不可欠である。このような調整により、噴射量指示によってあらかじめ規定された燃料量を噴射するように噴射弁を制御することができる。調整は、一般に、噴射が完全に吸気管を介して実施されるか、または完全に直接噴射として実施される運転状態で行われる。このために、内燃機関の運転状態に関して、噴射すべき燃料量に適用する調整値の適合が許可される範囲を規定する調整範囲が設けられる。しかしながら、内燃機関の現在の運転状態が調整範囲外にある場合であっても、算出された調整値は燃料量の計算する際に常に取り込まれる。
【０００３】
構成部品許容差および老朽化により、規則的に、またはあらかじめ規定された時点で、調整に用いた調整値を適合させることが不可欠である。上記方法にしたがった調整値の補正もしくは適合は、当該噴射が完全に吸気管を介して実施されるか、または完全に直接噴射によって実施された場合にのみ行われる。任意の時点で適合を行うべき場合には、このために運転状態が調整範囲内となるように運転状態を適合させなければならない。特に、運転状態は、内燃機関がほぼ完全に、調整値を適合させたい運手形式で運転されるように変更される。しかしながら、その結果、可能であれば直接噴射および吸気管噴射の複合的な使用を想定した内燃機関のそれ自体は最適な運転状態を放棄しなければならない。このようなことは、特に燃料消費、排ガス組成、および、例えば内燃機関のノッキングに代表され得るように運転特性のためには不利である。
【発明の概要】
【発明が解決しようとする課題】
【０００４】
本発明の課題は、複合的な吸気管噴射と直接噴射とを備える内燃機関における噴射弁の制御部を調整するための装置および方法において、特にいずれかの噴射形式への完全な切換が調整値の適合のために行われない方法を提供することである。
【課題を解決するための手段】
【０００５】
この課題は、請求項１に記載の燃料噴射量のための調整値を適合させるための方法、内燃機関への燃料の噴射を制御するために噴射量指示を調整するための方法、その他の独立請求項に記載の制御装置、エンジンシステムならびにコンピュータプログラム製品によって解決される。
【０００６】
その他の有利な構成が従属請求項に記載されている。
【０００７】
第１の態様によれば、２つの噴射形式の混合運転により燃料を供給可能な内燃機関の燃料噴射量を調整するための調整値を適合させるための方法が得られる。第１噴射形式によって内燃機関を運転させる第１噴射量指示を調整するための第１調整値、および第２噴射形式によって内燃機関を運転させる第２噴射量指示を調整するための第２調整値が適合され、調整値は、運転状態に関係した重ならない規定された調整範囲でそれぞれ適合され、少なくともいずれかの調整範囲は、混合運転時に２つの噴射形式によって燃料が内燃機関に供給される運転状態を含む。
【０００８】
本発明の思想は、内燃機関の運転状態が所定の調整範囲内にある場合には、複数の噴射形式を備える内燃機関で当該噴射弁を制御するための調整値の適合が行われることである。これは内燃機関が混合運転状態にあるか否かを考慮せずに行われる。
【０００９】
吸気管噴射の第１噴射形式および直接噴射の第２噴射形式を対応させることもでき、第１調整値の適合は、燃料が吸気管噴射および直接噴射によって内燃機関に供給される運転状態で行うことができる。
【００１０】
一実施形態によれば、第２調整値の適合は、６０％、７０％、８０％、９０％または９５％を超える燃料が直接噴射によって内燃機関に供給される運転状態で行うことができる。
【００１１】
当該噴射形式のための現在の調整値を算出することによってそれぞれの調整値の適合が行われ、当該噴射形式のために算出され、重み付け係数によって重み付けされた調整値を以前の調整値に適用することによって当該噴射形式のためにあらかじめ算出された調整値が適合されるようにしてもよい。
【００１２】
別の態様によれば、２つの噴射形式の混合運転により燃料を供給することができる内燃機関への燃料の噴射を制御するために第１噴射量指示および第２噴射形式指示を調整するための方法が提供される。作用点に関係して配分が設定され、内燃機関のシリンダにおける燃焼のために供給されるべき、所定の総燃料量が、第１噴射量指示および第２噴射量指示を算出するために配分に応じて分配され、第１噴射量指示および第２噴射量指示は、上記方法によって適合された第１もしくは第２調整値に関係して、特に加算または乗算によって、算出される。
【００１３】
さらに、調整値オフセットを適合させることができ、調整値オフセットは、配分にしたがって分配され、対応した噴射量指示を算出するために用いられる。
【００１４】
別の実施形態によれば、対応した噴射量指示に適用する吸気管調整値オフセットおよび直接噴射調整値オフセットを適合させることができる。
【００１５】
さらに、吸気管調整値オフセットおよび直接噴射調整値オフセットを適合させ、それぞれ配分を適用することができる。
【００１６】
別の態様によれば、２つの噴射形式の混合運転により燃料を供給可能な内燃機関の燃料噴射量のための調整値を適合させるための装置が設けられており、制御装置が、第１噴射形式によって内燃機関を運転させるために第１噴射量指示を調整するための第１調整値、および第２噴射形式によって内燃機関を運転させるために第２噴射量指示を調整するための第２調整値を適合させ、運転状態に関係した重ならない所定の調整範囲で調整値をそれぞれ適合させるように構成されており、少なくともいずれかの調整範囲は、２つの噴射形式によって内燃機関に燃料が供給される運転状態を含む。
【００１７】
別の態様によれば、エンジンシステムが設けられている。このエンジンシステムは：
内燃機関と、
上記制御装置と
を備える。
【００１８】
別の態様によれば、データ処理ユニットで構成された場合に上記方法を実施するプログラムコードを含むコンピュータプログラム製品が設けられている。
【００１９】
以下に好ましい実施形態を添付の図面に基づいて詳述する。
【図面の簡単な説明】
【００２０】
【図１】２つの噴射形式で運転することのできる内燃機関を備えるエンジンシステムの概略図である。
【図２】個々の噴射形式のための噴射量を決定する場合の調整値の考察を示す機能図である。
【図３】吸気管噴射および直接噴射のためのそれぞれの調整値の適合を行ってもよい調整範囲を示す図である。
【図４】個々の噴射形式のための噴射量を決定する場合の調整値の考察を示す別の機能図である。
【発明を実施するための形態】
【００２１】
図１は、内燃機関２を備えるエンジンシステム１を示す。内燃機関２は、それぞれの燃焼室を有する４つのシリンダ３を備える。シリンダ３には、空気供給システム４を介して、シリンダの燃焼室への入口に設けられた適宜な吸気弁７によって制御されて空気が供給される。燃焼排ガスは適宜な排気弁（図示しない）および排ガス吐出部５を介してシリンダ３の燃焼室から排出される。
【００２２】
空気供給システム４には、シリンダ３に流れる空気流、すなわち、空気量を制御するスロットルバルブ６が配置されている。空気供給システム４の領域では、スロットルバルブ６と吸気弁７との間に吸気管８が設けられている。吸気管８には、内燃機関２の運転時に吸気管噴射により燃料を噴射するための噴射弁９が配置されている。さらに、シリンダ３には、シリンダ３に直接に燃料を噴射するための直接噴射弁１０が設けられている。代替的な実施形態では、それぞれのシリンダ３に吸気管噴射弁が設けられていてもよい。吸気管噴射弁は、吸気管８と、対応した吸気弁７との間のそれぞれの供給導管にそれぞれ設けられていてもよい。
【００２３】
エンジンシステム１はさらに制御装置１５を備え、制御装置１５は、規定にしたがって内燃機関を運転するために、噴射弁９，１０、吸気弁７および排気弁の機能、スロットルバルブ６ならびにエンジンシステム１の他の調節器を制御する。
【００２４】
制御装置１５は、内燃機関の作用点、例えば、エンジン回転数ｎおよび／または負荷Ｍに関係して、噴射弁９．１０を介して燃料の噴射を制御する。噴射弁９，１０の制御変数は、噴射弁９，１０のための対応した制御ユニットで適宜な燃料量の噴射に置き換えられる噴射量指示である。特に噴射量指示により噴射継続時間が決定される。
【００２５】
図２には、どのようにして噴射量指示が算出されるかを表す機能図が概略的に示されている。噴射量ブロック２１では、所定の運転手要求トルクＦＷＭ、および、例えばエンジン回転数nおよびエンジン負荷Ｍによって示される作用点に関係して、総噴射量ｒＫが算出される。総噴射量は、所望のトルクを提供するためにシリンダ内に燃焼のために噴射されるべき燃料量の指示に相当する。代替的に、総噴射量によって所望の空燃比（ラムダ）を提供することもできる。
【００２６】
吸気管噴射のための吸気管-噴射量指示KSaugrohrを算出するためには、総噴射量rKに所定の吸気管調整値fra_PFIが適用され、本実施例では、第１乗算ブロック２３で乗算される。このようにして算出された積には第１加算部２４で吸気管調整値オフセットora_PFIが加算される。次いで、得られた和は第２乗算ブロック２５で配分Ｒによって乗算され、これにより、吸気管-噴射弁-制御ユニット２６で吸気管-噴射弁９のための適宜な制御に変換される吸気管-噴射量指示rKSaugrohrが得られる。
【００２７】
同様に、直接噴射のための直接噴射-噴射量指示rKDirektを計算するためには、総噴射量rKに所定の直接噴射調整値fra_DIが適用され、本実施例では、第３乗算ブロック２７で乗算される。このようにして算出された積には、第２加算部２８で直接噴射調整値オフセットora_DIが加算される。直接噴射調整値オフセットora_DIは、例えば、直接噴射弁１０の調節器における電圧-電流経過の評価に基づいた別の方法によって算出することもできる。このような方法は従来技術により既知であり、ここではさらに詳述しない。
【００２８】
次いで、得られた和は第４乗算ブロック２９で配分1-Rによって乗算され、これにより、直接噴射-制御ユニット３０で直接-噴射弁１０のための適宜な制御に変換される直接噴射-噴射量指示rKDirektが得られる。
【００２９】
吸気管-噴射弁-制御ユニット２６および直接噴射-制御ユニット３０は制御装置１５に設けられていてもよい。吸気管調整値オフセットora_PFI、直接噴射調整値オフセットora_DI、吸気管調整値fra_PFI、直接噴射調整値fra_DIおよび配分Ｒは、エンジン回転数nおよび／またはエンジン負荷Ｍによって決定されていてもよい内燃機関の作用点に関係して、および／または所定の、もしくは得られた特性マップまたは所定の、もしくは得られた関数に関係して調整値ブロック２２によって規定される。
【００３０】
調整関数ブロック２２によって提供された配分Ｒは、運転状態に関係した、すなわち、内燃機関の回転数および／または負荷に関係して、総噴射量rKが個々の噴射形式にどのように分配されるべきかを示す。例えば、吸気管-噴射量指示rKSaugrohrを規定することができ、この場合、噴射管-調整値オフセットora_PFIを適用した調整総噴射量に配分Ｒが乗算され、直接噴射-噴射量指示rKDirektを得るために、直接噴射調整値オフセットora_DIを適用した調整総噴射量に逆の配分1-Rが適用される。逆の配分1-Rは、１と差分ブロック３１で算出された配分Ｒとの間の差から生じる。
【００３１】
このようにして得られた噴射量指示rKSaugrohr, rKDirektを適合させるためには、（吸気管噴射量rKSaugrohrのための）調整値fra_PFIおよび（直接噴射量rKDirektのための）調整値fra_DIが設けられている。調整値fra_PFI, fra_DIは、調整値ブロック２２によって、場合によっては作用点（回転数ｎ、トルクＭ）に関係して提供される。直接噴射調整値オフセットora_DI、直接噴射調整値fra_DI、吸気管調整値オフセットora_PFIおよび吸気管調整値fra_PFIは、調整値ブロック２２に記憶されている。実質的に、調整された吸気管噴射量指示rKSaugrohrは、次のように総噴射量rKから生じる：
rKSaugrohr=rK×R×fra_PFI+ora_PFI×R。
【００３２】
同様に、調整された直接噴射量rKDirektは、次のように総噴射量rKから生じる：
rKDirekt=rK×(1-R)×fra_DI+ora_DI×(1-R)。
【００３３】
調整値は、所定の作用点が生じている場合に調整ブロック２２で適合される。このような適合は、構成部品許容差および老朽化を考慮するために不可欠である。このために、これまでは吸気管のための調整値の適合は、ほぼ完全な吸気管噴射時に噴射量指示を行い、ほぼ完全な直接噴射時に直接-噴射量指示の適合を行うことが想定されており、提案された方法では、所定の調整範囲内にある運転状態が生じるとすぐに調整ブロック２２で調整値の適合が行われる。運転状態は、この場合、内燃機関を運転する混合運転に割り当てられていてもよい。例えば、吸気管調整値の適合は、配分比Ｒにおける吸気管噴射の割合が直接噴射の割合よりも高い場合、例えば、Ｒ≧７０％、≧８０％または≧９０％の配分で行うことができる。
【００３４】
さらに、吸気管調整値fra_PFIの調整は、作用点との十分な間隔が提供されており、直接噴射調整値オフセットora_DIまたは吸気管調整値オフセットora_PFIの調整を行うことができる場合にのみ行われる。
【００３５】
調整値は種々異なる形式で算出することができる。最も簡単な場合、ラムダ値の形態で空燃比が測定され、所定の目標値とのずれから調整値が算出される。代替的には、所定の運転状態で噴射量が増大もしくは低減され、内燃機関の回転数に生じた反応が評価される。調整値の適合は、一般に、調整値が飛躍的に変化しないように行われる。むしろ、それぞれ新たに算出された調整値が重み付けされ、加算または乗算により既存の調整値を更新するために用いられる。このようにして、算出される調整値における個々の外れ値の影響を低減することができる。
【００３６】
調整を行う調整範囲が例えば図３に示されており、対応領域を白で特徴づけている。吸気管調整値fra_PFIが、調整範囲を規定する作用点が、吸気管噴射および直接噴射の両方が行われる配分Ｒをとる調整範囲で適合されることがわかる。さらに、直接噴射調整値の適合は、配分Ｒによる規定により、主に直接噴射が生じる運転領域で行われる。
【００３７】
さらに、調整値の適合は、一度に１つの調整値のみが適合されるように行われる。このために、調整範囲は、調整値fra_PFI, fra_DIおよび調整値オフセットora_PFI, ora_DIについて重ならないように規定されるべきである。
【００３８】
代替的な実施形態によれば、図４の機能図に示すように、吸気管噴射量rKSaugrohrもしくは直接噴射量rKDirektに対して調整値オフセットora_DI, ora_PFIを適宜な配分による乗算後に考慮することができる。このために、実質的にブロック２５，２４もしくは２８，２９の配置が入れ換えられていることがわかる。
【図１】
2013522536.tif 000003
【図２】
2013522536.tif 000004
【図３】
2013522536.tif 000005
【図４】
2013522536.tif 000006
【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
２つの噴射形式の混合運転により燃料を供給可能な内燃機関（２）の燃料噴射量を調整するための調整値を適合させるための方法において、
吸気管噴射の第１噴射形式および直接噴射の第２噴射形式を対応させ、
第１噴射形式により内燃機関（２）を運転させる第１噴射量指示を調整するための第１調整値、および第２噴射形式によって内燃機関（２）を運転させる第２噴射量指示を調整するための第２調整値を適合させ、
運転状態に関係した重ならない規定された調整範囲で調整値をそれぞれ適合させ、
少なくともいずれかの調整範囲が、２つの噴射形式によって内燃機関（２）に燃料が供給される運転状態を含む、方法。
【請求項２】
吸気管噴射の第１噴射形式および直接噴射の第２噴射形式を対応させ、燃料が吸気管噴射および直接噴射によって前記内燃機関（２）に供給される運転状態で第１調整値の適合を行う、請求項１に記載の方法。
【請求項３】
７０％、８０％、９０％または９５％を超える燃料が直接噴射によって前記内燃機関（２）に供給される運転状態で、第２調整値の適合を行う、請求項１に記載の方法。
【請求項４】
当該噴射形式のための現在の調整値を算出することによってそれぞれの調整値の適合を行い、当該噴射形式のために算出され、重み付け係数によって重み付された調整値を以前の調整値に適用することによって当該噴射形式のためにあらかじめ算出された調整値を適合させる、請求項１から３までのいずれか一項に記載の方法。
【請求項５】
２つの噴射形式の混合運転により燃料を供給することができる前記内燃機関（２）への燃料の噴射を制御するために第１噴射量指示および第２噴射形式指示を調整するための方法において、
作用点に関係して配分（Ｒ）を設定し、
前記内燃機関（２）のシリンダ（３）における燃焼のために供給されるべき所定の総燃料量（rK）を、第１噴射量指示および第２噴射量指示を算出するための配分（Ｒ）にしたがって分配し、請求項１から４までのいずれか一項に記載の方法によって適合された第１もしくは第２調整値に関係して、特に加算または乗算によって第１噴射量指示および第２噴射量指示を算出する、方法。
【請求項６】
調整値-オフセット（ora_DI, ora_PFI）を適合させ、調整値-オフセット（ora_DI, ora_PFI）を配分（Ｒ）にしたがって分配し、対応した噴射量指示を算出するために用いる、請求項５に記載の方法。
【請求項７】
対応した噴射量指示に適用する吸気管-調整値-オフセット（ora_PFI）および直接噴射-調整値-オフセット（ora_DI）を適合させる、請求項５に記載の方法。
【請求項８】
吸気管-調整値-オフセット（ora_PFI）および直接噴射-調整値-オフセット（ora_DI）を適合させ、それぞれ配分（Ｒ）を適用する、請求項７に記載の方法。
【請求項９】
２つの噴射形式の混合運転により燃料を供給可能な内燃機関（２）の燃料噴射量のための調整値を適合させるための装置（１５）において、
制御装置（１５）が、第１噴射形式によって内燃機関（２）を運転させる第１噴射量指示を調整するための第１調整値、および第２噴射形式によって内燃機関を運転させる第２噴射量指示を調整するための第２調整値を適合させ、
運転状態に関係した重ならない規定された調整範囲で調整値をそれぞれ適合させるように構成されており、
少なくともいずれかの調整範囲が、２つの噴射形式によって内燃機関（２）に燃料が供給される運転状態を含む、装置。
【請求項１０】
前記内燃機関（２）と、
請求項９に記載の制御装置（１５）と
を備える、エンジンシステム（１）。
【請求項１１】
データ処理ユニットで構成された場合に、請求項１から８までのいずれか一項に記載の方法を実施するプログラムコードを含む、コンピュータプログラム製品。
【国際調査報告】
2013522536.tif 000007
2013522536.tif 000008
2013522536.tif 000009
2013522536.tif 000010
2013522536.tif 000011
2013522536.tif 000012